(57)【要約】【課題】型枠内部に設置される照明光源への電気配線コードの捩れをなくし、漏電等の電気トラブルを防止して、安全性及び作業性を向上させ、検査ミスを減少させ得る衣類の欠陥検査装置を提供すること。【解決手段】先端にランプ１が固定的に支持され、基端が支柱部材２に固定的に支持された中空軸３と、この中空軸３に基端側が回転自在に支持され、前記ランプ１の明かりが透過可能な中空筒状構造とされた衣類装着用の型枠４とを備え、前記ランプ１が前記中空軸３によって前記型枠４内に非回転状態に支持され、かつ、前記ランプ１への電気コード５が前記中空軸３内を通して前記型枠４の回転とは不干渉に配線されている。【選択図】図１
2009079336.tif 000002
【特許請求の範囲】
【請求項１】
先端にランプが固定的に支持され、基端が支柱部材に固定的に支持された中空軸と、この中空軸に基端側が回転自在に支持され、前記ランプの明かりが透過可能な中空筒状構造とされた衣類装着用の型枠とを備え、
前記ランプが前記中空軸によって前記型枠内に非回転状態に支持され、かつ、前記ランプへの電気コードが前記中空軸内を通して前記型枠の回転とは不干渉に配線されていることを特徴とする衣類の欠陥検査装置。
【請求項２】
前記型枠は、先端から基端までが一様な中空筒状とされていることを特徴とする請求項１に記載の衣類の欠陥検査装置。
【請求項３】
前記型枠は、基端が１つの中空筒状とされ、途中から先端側が二股に分岐した中空筒状とされていることを特徴とする請求項１に記載の衣類の欠陥検査装置。
【請求項４】
前記型枠は、中空筒状張り子構造からなるか、又は、中空筒状骨組み構造からなることを特徴とする請求項１〜３の何れかに記載の衣類の欠陥検査装置。
【請求項５】
前記型枠は、先端側に衣類挿入用ガイド部を備え、このガイド部は、始端側から終端側に向けて広がる形状とされていることを特徴とする請求項１〜４の何れかに記載の衣類の欠陥検査装置。
【発明の詳細な説明】
【技術分野】
【０００１】
本発明は、編成工程や縫製工程等の製造工程を経た衣類製品の仕上がり状態を検査する衣類の欠陥検査装置に関するもので、シャツやパンツ等の筒状部分を有する衣類製品全般が対象である。
【背景技術】
【０００２】
従来、編成工程や縫製工程等の製造工程を経た衣類製品の仕上がり状態を検査する場合、衣類製品の着用形態に近似した形状の型枠を使用し、この型枠に衣類製品を装着して検査員が製品の外側からの照明の下で目視検査していた。
この検査では、欠陥の見落とし等の検査ミスを完全になくすことができなかった。そこで、型枠内にランプを取り付けて衣類製品を内部からも照らし出して欠陥の有無を透過検査するようにしたものが提案されている（例えば、特許文献１参照）。
【特許文献１】特開平１１−１２９２１号公報
【発明の開示】
【発明が解決しようとする課題】
【０００３】
しかしながら、特許文献１の型枠は、ランプを型枠の内面に取り付けているため、型枠を回転させて検査する都度、ランプへの電気コードが捩れることになり、漏電や断線等が発生する恐れがあり、安全面や作業性等に問題点があった。
また、特許文献１は、型枠への衣類の装着を自動的に行わせるために、型枠の両側にエアシリンダで移動するチャック部材を設け、このチャック部材で筒状衣類の一端を把持させて型枠の奥に向けて移動させて衣類を装着させており、この装着をスムーズに行わせるために、型枠を扁平にしていた。これであると、衣類を扁平に装着できるだけとなり、立体的に装着することができないため、前身頃と後身頃の縫合部や股下部の縫合状態の検査等を立体的に明瞭に映し出して行うことができず、検査ミスが発生する問題点があった。
【０００４】
本発明は、従来の検査装置の上記問題点に鑑みて開発されたもので、その目的とするところは、型枠内部に設置されるランプへの電気コードの捩れをなくし、漏電等の電気トラブルを防止して、安全性及び作業性を向上させ、検査ミスを著しく減少させることができる衣類の欠陥検査装置を提供することにある。
【課題を解決するための手段】
【０００５】
前記目的を達成するために本発明は、先端にランプが固定的に支持され、基端が支柱部材に固定的に支持された中空軸と、この中空軸に基端側が回転自在に支持され、前記ランプの明かりが透過可能な中空筒状構造とされた衣類装着用の型枠とを備え、前記ランプが前記中空軸によって前記型枠内に非回転状態に支持され、かつ、前記ランプへの電気コードが前記中空軸内を通して前記型枠の回転とは不干渉に配線されていることを特徴としている。
この構成によれば、型枠に装着された衣類を、型枠内部に配置したランプの明かりで照らし出して縫製部分の仕上がり具合や編成部の編み上がり具合等の仕上がり状態を透過検査することができ、その際、型枠を回転させて衣類の周囲を隈無く検査することができ、しかも、型枠を回転させてもランプへの電気コードが捩れることを無くすことができる。
【０００６】
前記型枠は、先端から基端までが一様な中空筒状とされている。
この構成によれば、シャツ、セーター、キャミソールのような単一の胴部乃至筒状部を有する衣類を型枠に立体的に装着して検査することができる。
前記型枠は、基端が１つの中空筒状とされ、途中から先端側が二股に分岐した中空筒状とされ、前記ランプの明かりが透過可能な構成とされている。
この構成によれば、パンツ、ズボン下、ガードルのような基端が１つの中空筒状とされ、途中から先端側が二股に分岐した中空筒状とされた衣類を型枠に立体的に装着して検査することができる。
【０００７】
前記型枠は、中空筒状張り子構造からなるか、又は、中空筒状骨組み構造からなる。
この構成によれば、型枠を軽量化して衣類を型枠に立体的かつ透過検査可能に装着することができる。
前記型枠は、先端側に衣類挿入用ガイド部を備え、このガイド部は、始端側から終端側に向けて広がる形状とされている。
この構成によれば、型枠への衣類の装着を容易化することができる。
【発明の効果】
【０００８】
本発明によれば、型枠内部に設置されるランプへの電気配線コードの捩れをなくし、漏電等の電気トラブルを防止して、安全性及び作業性を向上させ、検査ミスを著しく減少させ得る衣類の欠陥検査装置を提供することができる。
【発明を実施するための最良の形態】
【０００９】
以下、本発明の実施形態を図面に基づいて説明する。
図１〜図３は、本発明装置の第１実施形態を示し、図４〜図７は本発明装置の第２実施形態を示している。
本発明装置は、図１に示すように、先端３ａにランプ１が固定的に支持され、基端３ｂが支柱部材２に固定的に支持された中空軸３と、この中空軸３に基端４ａ側が回転自在に支持され、前記ランプ１の明かりが透過可能な中空筒状構造とされた衣類装着用の型枠４とを備えている。
【００１０】
ランプ１は、中空軸３によって型枠４内に非回転状態に支持され、かつ、このランプ１への電気コード５が中空軸３内を通して型枠４の回転とは不干渉に配線されている。
ランプ１は、ソケット１ａに交換可能に装着され、このソケット１ａが中空軸３の先端３ａに適宜の支持具を介して固定的に支持されている。
支柱部材２は、図７に示すように、下端が台車６に立設固定され、或いは、適宜の静止部材に固定され、上端に支持ブラケット２ａが取り付けられている。
中空軸３は、両端を開放した円筒状をなし、先端３ａにソケット１ａを介してランプ１が固定支持され、このランプ１の電気コード５が中空内部を貫通して配線されている。
【００１１】
そして、中空軸３の後端３ｂには、取付ブラケット３ｃが設けられ、この取付ブラケット３ｃが、支柱部材２の支持ブラケット２ａに緊締具３ｄを介して角度調節可能に固定支持されている。
型枠４は、基端４ａ側が中空軸３に軸受７を介して回転自在に支持され、先端４ｂ側を自由端として衣類８の着脱操作を可能としている。
型枠４は、第１実施形態では、図１及び図３に示すように、先端４ｂから基端４ａまでが一様な中空筒状とされ、しかも、中空筒状張り子構造４Ａとされている。即ち、第１実施形態の型枠４は、基端４ａ及び先端４ｂに同一形状の端板４ｃ、４ｄを有し、この端板４ｃ、４ｄ間に半透明乃至透明な樹脂板４ｅ、４ｆを張設し、樹脂板４ｅ、４ｆの両端をビス４ｇで端板４ｃ、４ｄに固着し、樹脂板４ｅ、４ｆの合わせ目に沿って補強桟４ｈ、４ｈを装着して先端４ｂから基端４ａまでが一様な中空筒状に連結し、先端４ｂの端板４ｄに衣類挿入用ガイド部４ｉを設けている。このガイド部４ｉは、線材を折り曲げ形成して先端４ｂ側から基端４ａ側に向けて広がる形状とされている。
【００１２】
基端４ａ側の端板４ｃには、円筒状のスリーブ４ｊが設けられ、このスリーブ４ｊが軸受７を介して中空軸３に回転自在に支持されている。先端４ｂ側の端板４ｄには、図１及び図２に示すように、軽量化のための孔４ｋが適宜数設けられている。
型枠４の中空筒状部の断面形状は、円形、楕円形、扁平円形、長円形、四角形、菱形、その他、衣類８の胴部乃至筒状部を緊張状態で立体的に装着できる適宜の中空筒状の断面形状とされ、図示例では、両端が対称な舟型形状とした場合を示している。
図４〜図７に示す第２実施形態においては、型枠４は、基端４ａが１つの中空筒状とされ、途中から先端４ｂ側が二股に分岐した中空筒状とされ、しかも、線材による中空筒状骨組み構造４Ｂとされている。具体的には、基端４ａ側に端板４ｃが設けられ、この端板４ｃの後面に円筒状のスリーブ４ｊが設けられ、このスリーブ４ｊが軸受７を介して中空軸３に回転自在に支持されている。中空軸３は、前記第１実施形態と同様な構造で角度調節可能に支柱部材２に支持されており、この支柱部材２は台車６に立設固定されている。そして、端板４ｃの前面に中空筒状骨組み構造４Ｂの線材の基端が固着されている。
【００１３】
この中空筒状骨組み構造４Ｂは、胴部４ｍと胴部４ｍから二股に分岐した脚部４ｎ、４ｎとからなっている。
胴部４ｍは、図５及び図７に示すように、左右両側がそれぞれ上下２本の平行に伸びる外側フレーム４ｏ、４ｏと、これらよりも広い間隔とされた上下２本の平行に伸びる中間フレーム４ｐ、４ｐとを備え、これらが、型枠４の回転中心から左右両側対称配置で、丁度、横長八角形の各頂角位置を占めるように配置されている。
これら外側フレーム４ｏ、４ｏと中間フレーム４ｐ、４ｐは、左右両側が基端４ａから先端４ｂに向けて拡開するように端板４ｃに取り付けられている。
【００１４】
左右両側の脚部４ｎは、胴部４ｍから二股に分岐されている。それぞれの脚部４ｎは、図６及び図７に示すように、上記胴部４ｍの上下２本の平行に伸びる外側フレーム４ｏ、４ｏと、上下２本の平行に伸びる中間フレーム４ｐ、４ｐとがそのまま延長されており、これらに加えて、上下２本の平行に伸びる内側フレーム４ｑ、４ｑが配置されている。
内側フレーム４ｑ、４ｑの上下間隔は、外側フレーム４ｏ、４ｏと同一とされている。そして、外側フレーム４ｏ、４ｏと内側フレーム４ｑ、４ｑとの中間に中間フレーム４ｐ、４ｐが配置されており、これらの６本のフレームが、丁度、正六角形の各頂角位置を占めるように配置されている。
【００１５】
左右両側の脚部４ｎを構成している各フレームは、図７に示すように、先端４ｂ側において、衣類挿入用ガイド部４ｉを形成するために、上下方向に互いに接近して連続した形状とされ、しかも、外側フレーム４ｏ、４ｏの先端４ｏ’と内側フレーム４ｑ、４ｑの先端４ｑ’とが１本の連結フレーム４ｒで連結され、この連結フレーム４ｒに中間フレーム４ｐ、４ｐの先端４ｐ’も接合されている。
外側フレーム４ｏ、４ｏと中間フレーム４ｐ、４ｐは、図７に示すように、基端４ａ側において、上下方向に互いに接近して連続した形状とされ、この状態で左右両側ともに端板４ｃに固着されている。この端板４ｃは、第２実施形態では、略楕円形とした場合を例示している。
【００１６】
内側フレーム４ｑ、４ｑは、図７に示すように、左右両側のものが前記端板４ｃから先端４ｂ側に所定長さ離隔した位置で、上同士、下同士それぞれ円弧状連結フレーム４ｓ、４ｓで連結された形状とされている。
この円弧状連結フレーム４ｓ、４ｓは、装着される衣類８の股下部を立体的に装着するための部分とされる。
本発明装置の各実施形態の構造は以上からなるもので、図１〜図３に示す第１実施形態の型枠４には、シャツ、セーター、キャミソール等の上半身側に着用する衣類を装着して欠陥の有無などの検査を行うものであり、図４〜図７に示す第２実施形態の型枠４には、パンツ、ズボン下、ガードル等の下半身側に着用する衣類を装着して欠陥の有無などの検査を行うものである。
【００１７】
型枠４への衣類８の着脱は、第１・第２実施形態ともに手作業によって行われ、検査作業についても、衣類８の検査箇所や検査項目、検査領域の広狭などに応じて、型枠４を手で止めたり正転方向に回したり、逆転方向に戻したり適宜操作しながら衣類８の隅々まで隈無く行われる。この検査は、ランプ１を点灯させて衣類８の各部を型枠４の内側から照らし出して目視で行われるため、生地の編成工程の欠陥の有無、縫製工程の欠陥の有無などの検査が精度よく実施され、検査ミスの発生を大幅に減らすことができる。なお、図３において、符号９は、型枠４の基端４ａ側の端板４ｃに取り付けられた検査目印片であって、これにより、衣類８の検査における前身頃側と後身頃側などの表裏面の検査済みの判断の目安とされるものである。この検査目印片９は、第２実施形態の型枠４に設けて同様な機能を発揮させることができる。
【００１８】
上記検査作業において、ランプ１は、支柱部材２に固定的に支持された中空軸３の先端に固定して取り付けられ、このランプ１への電気コード５は、前記中空軸３内を貫通して非回転状態に保持した状態で配線されているため、型枠４の回転によって電気コード５が捩れることがなく、電気コード５の絶縁被覆の損傷などに伴う漏電や断線の恐れがなく、従って、衣類の欠陥検査を安全に実施することができる。
本発明装置は、以上の実施形態からなるが、本発明は、この実施形態にのみ制約されるものではなく、種々変形して実施することができる。例えば、型枠４の形状は、中空筒状張り子構造４Ａと中空筒状骨組み構造４Ｂとの何れを採用しても良い。また、型枠４を回転自在に支持する構造は、実施形態に示す以外の構造を採用しても良い。
【図面の簡単な説明】
【００１９】
【図１】本発明装置の第１実施形態の概略縦断側面図である。
【図２】図１のＡ−Ａ線断面図である。
【図３】図１の実施形態の概略斜視図である。
【図４】本発明装置の第２実施形態の概略縦断側面図である。
【図５】図４のＢ−Ｂ線断面図である。
【図６】図４のＣ−Ｃ線断面図である。
【図７】図４の実施形態の概略斜視図である。
【符号の説明】
【００２０】
１    ランプ
２    支柱部材
３    中空軸
４    型枠
４Ａ    中空筒状張り子構造
４Ｂ    中空筒状骨組み構造
５    電気コード
６    台車
７    軸受
８    衣類
【図１】
2009079336.tif 000003
【図２】
2009079336.tif 000004
【図３】
2009079336.tif 000005
【図４】
2009079336.tif 000006
【図５】
2009079336.tif 000007
【図６】
2009079336.tif 000008
【図７】
2009079336.tif 000009